(57)【要約】【課題】負荷への過電圧出力を回避する直流電源システムを提供すること。【解決手段】１つ以上の蓄電池を直列接続してなる組電池４と、組電池４を充電する充電器５とを有し、負荷３へ電力を供給する直流電源システムにおいて、組電池４が、三極双投スイッチ７により、負荷３あるいは充電器５に接続され、組電池４が充電されるとき三極双投スイッチ７が組電池４を充電器５に接続し、組電池４が充電されないとき三極双投スイッチ７が組電池４を負荷３に接続することを特徴とする直流電源システムを構成する。【選択図】図１
2010022086.tif 000002
【特許請求の範囲】
【請求項１】
１つ以上の蓄電池を直列接続してなる組電池と、前記組電池を充電する充電器とを有し、負荷へ電力を供給する直流電源システムにおいて、
前記組電池が、三極双投スイッチにより、前記負荷あるいは前記充電器に接続され、
前記組電池が充電されるとき前記三極双投スイッチが前記組電池を前記充電器に接続し、
前記組電池が充電されないとき前記三極双投スイッチが前記組電池を前記負荷に接続することを特徴とする直流電源システム。
【請求項２】
１つ以上の蓄電池を直列接続してなる組電池と、前記組電池を充電する充電器とを有し、負荷へ電力を供給する直流電源システムにおいて、
前記組電池が、三極双投スイッチにより、前記負荷あるいは前記充電器に接続され、
前記三極双投スイッチが前記組電池を前記充電器に接続した後、前記組電池の充電が開始され、充電終了後、前記組電池の電圧が前記負荷の許容上限電圧以下の第１の電圧以下となったとき前記三極双投スイッチが前記組電池を前記負荷に接続することを特徴とする直流電源システム。
【請求項３】
１つ以上の蓄電池を直列接続してなる組電池と、前記組電池を充電する充電器とを有し、負荷へ電力を供給する直流電源システムにおいて、
前記組電池が、三極双投スイッチにより、前記負荷あるいは前記充電器に接続され、
前記三極双投スイッチと前記負荷との間に前記組電池から前記負荷への放電方向にのみ電力を通すダイオードが介挿され、
前記三極双投スイッチが前記組電池を前記充電器に接続した後、前記組電池の充電が開始され、充電終了後、前記組電池の電圧が前記負荷の許容上限電圧以下の第１の電圧に前記ダイオードの順方向電圧降下の絶対値を加算した電圧以下となったとき、前記三極双投スイッチが前記組電池を前記負荷に接続することを特徴とする直流電源システム。
【請求項４】
１つ以上の蓄電池を直列接続してなる組電池と、前記組電池を充電する充電器とを有し、負荷へ電力を供給する直流電源システムにおいて、
前記組電池が、三極双投スイッチにより、前記負荷あるいは前記充電器に接続され、
前記三極双投スィッチと前記負荷との間に前記組電池から前記負荷への放電方向にのみ電力を通すダイオードが介挿され、
交流電力を直流電力に変換する整流器が前記負荷に対して並列接続され、
前記整流器の出力電圧は前記負荷の許容上限電圧以下であり、
前記三極双投スイッチが前記組電池を前記充電器に接続した後、前記組電池の充電が開始され、充電終了後、前記組電池の電圧が前記整流器の出力電圧以下の第２の電圧に前記ダイオードの順方向電圧降下の絶対値を加算した電圧以下となったとき前記三極双投スイッチが前記組電池を前記負荷に接続することを特徴とする直流電源システム。
【請求項５】
複数の、請求項１ないし４のいずれかに記載の直流電源システムを、前記三極双投スイッチから前記負荷へ至る給電線において並列接続したことを特徴とする直流電源システム。
【請求項６】
請求項５に記載の直流電源システムにおいて、前記組電池を前記負荷に接続する前記三極双投スイッチが１つ以上常に存在することを特徴とする直流電源システム。
【発明の詳細な説明】
【技術分野】
【０００１】
本発明は直流電源システムに関する。
【背景技術】
【０００２】
一般に、直流負荷装置へ電力を供給する直流電源システムでは、商用交流電力を受け、直流４８Ｖなどの直流電力を出力する整流器が用いられている。さらに、商用電力が停電した場合でも負荷装置への給電を継続するために、整流器の出力に蓄電池と、蓄電池を充電するための充電器を備え、バックアップ電源システムとする。
【０００３】
蓄電池を直流電源システムに適用する場合には、通常、単セルと呼ばれる１本の蓄電池を複数個直列にしたものを１つ以上並列接続した組電池を用いる。
【０００４】
下記特許文献１、２、３には、複数の組電池が出力する電力を放電器を介して負荷に供給する電源システムが記載され、特許文献１には、組電池と放電器中のコンバータとの間の電路が共通導線によって互いに電気的に接続されていることが記載され、特許文献２には、放電器の各動作を、制御部が発信する同一の動作信号に基づいて行わせることが記載され、特許文献３には、放電器出力電圧が設定範囲内となるように昇圧回路あるいは降圧回路が動作することが記載されている。
【特許文献１】特開２００７−１４３２６６号公報
【特許文献２】特開２００７−１４３２９１号公報
【特許文献３】特開２００７−３１２５５８号公報
【発明の開示】
【発明が解決しようとする課題】
【０００５】
特許文献３に記載されている直流電源システムを例として、バックアップ時に蓄電池から放電器を介して負荷へ給電する直流電源システムの問題について説明する。
【０００６】
図６（特許文献３の図３に同じ）において、ニッケル水素蓄電池１が出力する電力は、昇圧回路２、降圧回路３を介して負荷４へ供給される。昇圧回路と降圧回路が必要である理由は、ニッケル水素蓄電池１の満充電時の電圧は負荷４の許容電圧範囲を上回っており、放電終止電圧は負荷４の許容電圧範囲を下回っているからである。
【０００７】
特許文献３に記載される発明は、ニッケル水素蓄電池１の電圧が、第７の設定値以上、第８の設定値以下の範囲で変動するとき、昇圧回路２の出力電圧が、第７の設定値よりも大きく第８の設定値よりも小さい第９の設定値を下回らないように昇圧回路２のスイッチング素子８が動作し、降圧回路３の出力電圧が、第７の設定値よりも大きく第８の設定値よりも小さく、かつ、第９の設定値よりも大きい第１０の設定値を上回らないように降圧回路３のスイッチング素子９が動作することを特徴とする。
【０００８】
この動作により、ニッケル水素蓄電池１の電圧が負荷４の許容電圧範囲を超えるときは降圧回路３により降圧された電力が負荷４へ供給され、許容電圧範囲を下回るときは昇圧回路２により昇圧された電力が負荷４へ供給される。つまり、負荷４への給電電圧を許容範囲内に収めることが可能である。
【０００９】
負荷４への給電電圧を許容電圧範囲に収めなければならない理由は、許容範囲を下回る給電電圧では負荷４を動作させることができないことと、許容範囲を上回る給電電圧であるとき負荷４を故障させる恐れがあることである。給電電圧が許容範囲を下回って負荷４が停止した場合にはその後許容範囲内の電圧で給電を行うことにより再び負荷４を動作させることができるが、許容範囲を上回る電圧を負荷４に印加した場合、負荷４の故障が発生し、その後許容範囲内の電圧を印加しても、負荷４を正常に動作させることができない可能性がある。よって、許容範囲を超える電圧を負荷４に印加しないことは、許容範囲を下回らないことよりも優先して考慮されるべき問題である。
【００１０】
しかしながら、降圧回路３に含まれるスイッチング素子９は、短絡と開放の２つの状態があるため、スイッチング素子９への制御の故障あるいはスイッチング素子９そのものの故障が発生した場合、スイッチング素子９は短絡と開放いずれかの状態のまま変化しなくなる。スイッチング素子９が開放のまま変化しなくなった場合は、ニッケル水素蓄電池１と負荷４は切り離されるため、負荷４の動作が停止するだけである。しかし、スイッチング素子９が短絡のまま変化しなくなった場合、ニッケル水素蓄電池１は降圧回路３を通して直接負荷４へ接続される。このとき、ニッケル水素蓄電池１に充電器が接続され、負荷４の許容範囲を上回る電圧により充電されている場合、負荷４へ許容範囲を超える電圧が印加されることになり、負荷４の故障が発生する可能性がある。
【００１１】
以上のように、組電池を満充電とするために負荷の許容範囲を超える電圧で組電池を充電する場合は、負荷への過電圧出力を防ぐために降圧回路を介挿する方法があるが、降圧回路に含まれるスイッチング素子が短絡故障したときに充電器が発生する過電圧が負荷へ印加され、負荷を故障させる恐れがあるという問題がある。
【００１２】
本発明は前記の、降圧回路に含まれるスイッチング素子が短絡故障したときに充電器が発生する過電圧が負荷へ印加され負荷を故障させる恐れがあるという問題に鑑みてなされたものであり、本発明が解決しようとする課題は、負荷への過電圧出力を回避する直流電源システムを提供することにある。
【課題を解決するための手段】
【００１３】
前記課題を解決するために、本発明においては、請求項１に記載のように、
１つ以上の蓄電池を直列接続してなる組電池と、前記組電池を充電する充電器とを有し、負荷へ電力を供給する直流電源システムにおいて、前記組電池が、三極双投スイッチにより、前記負荷あるいは前記充電器に接続され、前記組電池が充電されるとき前記三極双投スイッチが前記組電池を前記充電器に接続し、前記組電池が充電されないとき前記三極双投スイッチが前記組電池を前記負荷に接続することを特徴とする直流電源システムを構成する。
【００１４】
また、本発明においては、請求項２に記載のように、
１つ以上の蓄電池を直列接続してなる組電池と、前記組電池を充電する充電器とを有し、負荷へ電力を供給する直流電源システムにおいて、前記組電池が、三極双投スイッチにより、前記負荷あるいは前記充電器に接続され、前記三極双投スイッチが前記組電池を前記充電器に接続した後、前記組電池の充電が開始され、充電終了後、前記組電池の電圧が前記負荷の許容上限電圧以下の第１の電圧以下となったとき前記三極双投スイッチが前記組電池を前記負荷に接続することを特徴とする直流電源システムを構成する。
【００１５】
また、本発明においては、請求項３に記載のように、
１つ以上の蓄電池を直列接続してなる組電池と、前記組電池を充電する充電器とを有し、負荷へ電力を供給する直流電源システムにおいて、前記組電池が、三極双投スイッチにより、前記負荷あるいは前記充電器に接続され、前記三極双投スイッチと前記負荷との間に前記組電池から前記負荷への放電方向にのみ電力を通すダイオードが介挿され、前記三極双投スイッチが前記組電池を前記充電器に接続した後、前記組電池の充電が開始され、充電終了後、前記組電池の電圧が前記負荷の許容上限電圧以下の第１の電圧に前記ダイオードの順方向電圧降下の絶対値を加算した電圧以下となったとき、前記三極双投スイッチが前記組電池を前記負荷に接続することを特徴とする直流電源システムを構成する。
【００１６】
また、本発明においては、請求項４に記載のように、
１つ以上の蓄電池を直列接続してなる組電池と、前記組電池を充電する充電器とを有し、負荷へ電力を供給する直流電源システムにおいて、前記組電池が、三極双投スイッチにより、前記負荷あるいは前記充電器に接続され、前記三極双投スィッチと前記負荷との間に前記組電池から前記負荷への放電方向にのみ電力を通すダイオードが介挿され、交流電力を直流電力に変換する整流器が前記負荷に対して並列接続され、前記整流器の出力電圧は前記負荷の許容上限電圧以下であり、前記三極双投スイッチが前記組電池を前記充電器に接続した後、前記組電池の充電が開始され、充電終了後、前記組電池の電圧が前記整流器の出力電圧以下の第２の電圧に前記ダイオードの順方向電圧降下の絶対値を加算した電圧以下となったとき前記三極双投スイッチが前記組電池を前記負荷に接続することを特徴とする直流電源システムを構成する。
【００１７】
また、本発明においては、請求項５に記載のように、
複数の、請求項１ないし４のいずれかに記載の直流電源システムを、前記三極双投スイッチから前記負荷へ至る給電線において並列接続したことを特徴とする直流電源システムを構成する。
【００１８】
また、本発明においては、請求項６に記載のように、
請求項５に記載の直流電源システムにおいて、前記組電池を前記負荷に接続する前記三極双投スイッチが１つ以上常に存在することを特徴とする直流電源システムを構成する。
【発明の効果】
【００１９】
本発明によれば、組電池を満充電とするために負荷の許容範囲を超える電圧で組電池を充電しても充電器出力電圧が負荷へ出力されることがないため、負荷の故障を回避し給電信頼性の高い直流電源システムを提供することが可能となる。
【発明を実施するための最良の形態】
【００２０】
本発明においては、１つ以上の蓄電池を直列接続してなる組電池と、前記組電池を充電する充電器とを有し、負荷へ電力を供給する直流電源システムにおいて、前記組電池が、三極双投スイッチにより、前記負荷あるいは前記充電器に接続され、前記組電池が充電されるとき前記三極双投スイッチが前記組電池を前記充電器に接続し、前記組電池が充電されないとき前記三極双投スイッチが前記組電池を前記負荷に接続する。
【００２１】
以下に、本発明の実施の形態について、ニッケル水素蓄電池を用いた直流電源システムを例として説明するが、本発明はこれに限られるものではない。
【００２２】
＜実施の形態例１＞
図１は、本発明の実施の形態例を説明する図である。図において、組電池４は、複数のニッケル水素蓄電池セル（定格電圧１．２Ｖ、定格容量１００Ａｈ）を４０セル直列接続して構成した組電池である。
【００２３】
ニッケル水素蓄電池セルが満充電まで充電されるためには、最高１．６Ｖの充電電圧が必要であるため、充電器５は、交流電源１から交流電力を入力して最高６４Ｖの直流電力を出力する。また、充電電流を制限するため、充電器５の出力電流は最大２０Ａである。
【００２４】
負荷３は直流負荷であり、給電電圧の許容範囲は５７Ｖ〜４０．５Ｖである。
【００２５】
三極双投スイッチ７は、組電池４の接続を充電器５あるいは負荷３へ切り替えるために接続され、３つの極のうち１つは組電池４のマイナス端子へ、もう１つは充電器５出力のマイナス端子へ、残りの１つは負荷３のマイナス端子へ接続される。三極双投スイッチでは、ある１つの端子（端子Ａとする）が２つの端子（端子Ｂ、Ｃとする）へ接続可能であるが、端子Ｂ、Ｃ間はどのような状態にあっても接続されることはない。本実施の形態例では、端子Ａ、Ｂ、Ｃをそれぞれ組電池４のマイナス端子、充電器５出力のマイナス端子、負荷３のマイナス端子としているので、充電器５から負荷３への接続が起こり得ない。
【００２６】
三極双投スイッチ７は、制御部９から信号を受信することにより、その接続を組電池４と充電器５とし（充電モード）、制御部９からの信号がリセットされることにより、その接続を組電池４と負荷３とする（放電モード）。このような切り替えは、具体的には、例えば、図２に示すように、リレー８を用いることにより実現できる。リレー８を三極双投のリレーとし、制御部９がリレー８のコイル部分への電流を制御することにより、組電池４の接続を充電器５と負荷３との間で切り替えることができる。
【００２７】
制御部９からの信号により三極双投スイッチ７が充電モードになると、組電池４が充電器５に接続され、充電器５は直流電力（最高６４Ｖ、最大２０Ａ）で組電池４を充電する。充電中、充電器５の出力電圧が６４Ｖに達しない限り充電電流は一定（２０Ａ）に維持されながら組電池４の電圧が上昇し、満充電に達したとき制御部９は三極双投スイッチ７への信号をリセットして充電を終了する。
【００２８】
充電終了後、三極双投スイッチ７の接続は組電池４と負荷３となり放電モードとなる。
【００２９】
ニッケル水素蓄電池セルは満充電時に最高１．６Ｖまで電圧が上昇するが、充電されない待機状態にあっては、満充電直後であっても１．４２Ｖ以下に電圧が低下する。すなわち、待機状態における組電池４の電圧は５６．８Ｖ以下となる。このため、組電池４の電圧は充電中に負荷３の許容上限電圧（５７Ｖ）を超えているが、充電が終了して放電モードとなると、負荷３の許容上限電圧（５７Ｖ）を下回る。よって、負荷３へ許容範囲を超える電圧を印加することなく、組電池４を満充電とすることができる。
【００３０】
また、三極双投スイッチ７において故障が発生するとき、組電池４が充電器５に接続されたまま動作しなくなる（ケース１）か、組電池４が負荷３に接続されたまま動作しなくなる（ケース２）か、どちらにも接続されないまま動作しなくなる（ケース３）かのいずれかのケースが想定される。ケース１の場合は、組電池４の電圧が負荷３の許容上限電圧を超えていたとしても負荷３への過電圧印加は起こらず、ケース２の場合は、組電池４の電圧は許容上限電圧を下回っており、ケース３の場合は、組電池４は負荷３へ接続されない。つまり、故障時のいかなる状態においても、負荷３へ許容上限電圧を超える電圧は印加されない。
【００３１】
このように、三極双投スイッチを用いて組電池の接続を充電器と負荷との間で切り替えることによって、負荷への過電圧出力を回避することができる。
【００３２】
本実施の形態例においては、組電池４は満充電後すぐに負荷３に接続されるが、負荷装置への給電信頼性を高めるため、負荷３の許容上限電圧（５７Ｖ）以下の第１の電圧（ここでは５６Ｖとする）を設定し、満充電後に充電器５の出力を停止するが三極双投スイッチ７の接続は充電モードのままとし、組電池４の電圧が第１の電圧（５６Ｖ）以下となるのを待って放電モードに切り替えるようにしてもよい。
【００３３】
＜実施の形態例２＞
図３は、本発明の実施の形態例を説明する図である。組電池４から負荷３への放電電路上に、逆流防止用のダイオード６を介挿していること以外は図１と同様である。組電池４は、複数のニッケル水素蓄電池セル（定格電圧１．２Ｖ、定格容量１００Ａｈ）を４０セル直列接続して構成した組電池である。
【００３４】
ダイオード６は組電池４から負荷３への放電方向にのみ電力を通し、順方向電圧降下は１．０Ｖ（最小値）である。充電器５は、交流電源１から交流電力を入力して最高６４Ｖの直流電力を出力し、充電器５の出力電流は最大２０Ａである。負荷３は直流負荷であり、給電電圧の許容範囲は５７Ｖ〜４０．５Ｖであるが、給電信頼性を考慮し、上限電圧は５６Ｖ（負荷３の許容上限電圧以下の第１の電圧）と設定されているものとする。三極双投スイッチ７の接続と制御は実施の形態例１と同じであり、制御部９からの信号により充電モードとなり、信号がリセットされることにより放電モードとなる。
【００３５】
制御部９からの信号により三極双投スイッチ７が充電モードになると、組電池４と充電器５が接続され、充電器５は直流電力（最高６４Ｖ、最大２０Ａ）で組電池４を充電する。充電中、充電器５の出力電圧が６４Ｖに達しない限り充電電流は一定（２０Ａ）に維持されながら組電池４の電圧が上昇する。
【００３６】
実施の形態例１のように満充電後すぐに放電モードとすると、組電池４の電圧は５６．８Ｖであり、負荷３への印加電圧はダイオード６の順方向電圧降下を減じて５５．８Ｖである。よって、負荷３の上限電圧（５６Ｖ）を超えることなく給電が可能である。
【００３７】
実施の形態例１と同様に、故障時のいかなる状態においても、負荷３へ許容上限電圧を超える電圧は印加されないので、負荷への過電圧出力を回避することができる。
【００３８】
上記第１の電圧がさらに低く５５Ｖに設定された場合は、満充電後に充電器５の出力を停止するが三極双投スイッチ７の接続は充電モードのままとし、組電池４の電圧が５６Ｖ（第１の電圧＋ダイオード６の順方向電圧降下の絶対値）以下となるのを待って放電モードに切り替えるようにすればよい。
【００３９】
＜実施の形態例３＞
図４は、本発明の実施の形態例を説明する図である。ダイオード６から負荷３への給電線に整流器２の出力が並列接続されていること以外は図３と同様である。負荷３は直流負荷であり、給電電圧の許容範囲は５７Ｖ〜４０．５Ｖである。
【００４０】
整流器２は交流電源１から入力した交流電力を直流電力に変換して出力し、その出力電圧は負荷３の許容上限電圧以下（例えば５６Ｖ）に設定される。
【００４１】
組電池４は、複数のニッケル水素蓄電池セル（定格電圧１．２Ｖ、定格容量１００Ａｈ）を４０セル直列接続して構成した組電池である。ダイオード６は組電池４から負荷３への放電方向にのみ電力を通し、順方向電圧降下は１．０Ｖ（最小値）である。
【００４２】
充電器５は、交流電源１から交流電力を入力して最高６４Ｖの直流電力を出力し、充電器５の出力電流は最大２０Ａである。三極双投スイッチ７の接続と制御は実施の形態例１と同じであり、制御部９からの信号により充電モードとなり、信号がリセットされることにより放電モードとなる。制御部９からの信号により三極双投スイッチ７が充電モードになると、組電池４が充電器５に接続され、充電器５は直流電力（最高６４Ｖ、最大２０Ａ）で組電池４を充電する。充電中、充電器５の出力電圧が６４Ｖに達しない限り充電電流は一定（２０Ａ）に維持されながら組電池４の電圧が上昇する。
【００４３】
実施の形態例１のように満充電後すぐに放電モードとすると、組電池４の電圧は５６．８Ｖであり、負荷３への印加電圧はダイオード６の順方向電圧降下を減じて５５．８Ｖである。本実施の形態例は整流器２の出力を優先して負荷３へ供給し交流電源１の停電時に組電池４から放電するシステムであるから、組電池４側の電圧は、整流器２の出力電圧を、例えば５６Ｖとすれば、その電圧を超えず、組電池４は負荷３へ放電しない。
【００４４】
実施の形態例１と同様に、故障時のいかなる状態においても、負荷３へ許容上限電圧を超える電圧は印加されないので、負荷への過電圧出力を回避することができる。
【００４５】
負荷３の上限電圧が５６Ｖに、整流器２の出力電圧が５５．５Ｖに設定された場合は、整流器２と組電池４側の並列接続点における組電池４側の上限電圧として、整流器２の出力電圧以下の第２の電圧（ここでは５５Ｖとする）を設定し、満充電後に充電器５の出力を停止するが三極双投スイッチ７の接続は充電モードのままとし、組電池４の電圧が５６Ｖ（第２の電圧＋ダイオード６の順方向電圧降下の絶対値）以下となるのを待って放電モードに切り替えるようにすればよい。
【００４６】
本発明の各実施の形態例においては、三極双投スイッチ７をマイナス側端子に接続しているが、プラス側端子に接続しても同じ効果を奏することができる。
【００４７】
また、本発明の各実施の形態例においては、組電池４、充電器５、ダイオード６および三極双投スイッチ７から構成される系統（これらを合わせて電池系統と呼ぶ）を１電池系統有するシステムについて適用したが、図５に示すような電池系統を複数有するシステムにおいても適用可能である。それぞれの三極双投スイッチ７が制御部９（図示せず）からの信号によって動作し切り替えが行われるようにすればよい。図５は整流器２を負荷３に並列接続し、ダイオード６を含む構成を示しているが、整流器２のない構成やダイオード６のない構成も可能である。また、各電池系統の三極双投スイッチ７を同時に充電モードにせず、一部の電池系統が常に放電モードとなるように充電のスケジューリングを行うことで、充電モード中に停電が発生した場合でも放電能力を維持することができる。さらに、各電池系統に充電器５を備えるのではなく、複数電池系統分の充電器５を搭載して複数の三極双投スイッチ７へ直流電力を供給し、充電対象の組電池４に接続される三極双投スイッチ７が切り替え動作を行うことにより充電を行う構成も可能である。
【００４８】
以上、本発明の実施形態について、ニッケル水素蓄電池を用いた直流電源システムを例として説明したが、本発明はこれに限られるものではない。
【００４９】
以下に、本発明によって生じる効果について説明する。
【００５０】
組電池を満充電とするために負荷の許容範囲を超える電圧で組電池を充電する場合は、負荷への過電圧出力を防ぐために降圧回路を介挿する方法があるが、降圧回路に含まれるスイッチング素子が短絡故障したときに充電器が発生する過電圧が負荷へ印加され、負荷を故障させる恐れがあるという問題がある。
【００５１】
本発明により、充電されている組電池は負荷と電気的に切り離され、かつ切り離しに用いている三極双投スイッチの故障時でも充電器と負荷の接続が起こり得ないため、負荷への過電圧出力を回避することが可能となる。
【図面の簡単な説明】
【００５２】
【図１】本発明の実施の形態例を説明する図である。
【図２】本発明の実施の形態例を説明する図である。
【図３】本発明の実施の形態例を説明する図である。
【図４】本発明の実施の形態例を説明する図である。
【図５】本発明の実施の形態例を説明する図である。
【図６】従来の直流電源システムの一例を説明する図である。
【符号の説明】
【００５３】
１：交流電源、２：整流器、３：負荷、４：組電池、５：充電器、６：ダイオード、７：三極双投スイッチ、８：リレー、９：制御部、以上、図６中の符号を除く。
【図１】
2010022086.tif 000003
【図２】
2010022086.tif 000004
【図３】
2010022086.tif 000005
【図４】
2010022086.tif 000006
【図５】
2010022086.tif 000007
【図６】
2010022086.tif 000008